(57)【要約】【課題】  ボールマーカーの収拾時に磁石を利用して、より早く確実に行い競技のスピードアップと併せて衛生的な収拾を特徴とするボールマーカー収拾具を提供する。【解決手段】  ボールマーカー収拾具１はボールマーカー10を収拾するための道具であって、磁石1Aをゴルフグローブ20の指部に固着している。【選択図】      図２
0003211652.tif 000002
【実用新案登録請求の範囲】
【請求項１】
ボールマーカーを収拾するためのゴルフグローブからなるボールマーカー収拾具であって、
磁石又は強磁性材料を前記ゴルフグローブの指部に固着していることを特徴とするボールマーカー収拾具。
【請求項２】
ボールマーカーを収拾するための指輪からなるボールマーカー収拾具であって、
磁石又は強磁性材料を前記指輪の外周面に固着していることを特徴とするボールマーカー収拾具。
【請求項３】
前記指輪の材料は、金属、プラスチック、合成繊維、布帛、皮革又はゴムからなる請求項２に記載のボールマーカー収拾具。
【考案の詳細な説明】
【技術分野】
【０００１】
本考案は、ボールマーカー収拾具に関する。
【背景技術】
【０００２】
ボールマーカーの収拾において、特にグランドゴルフのグランドは公園兼用のところが多く、不特定多数の人や動物も侵入し、地面は人の痰や唾があったり、又飼い犬の散歩や野生動物の侵入で糞もあったりして極めて汚れている。
【０００３】
また、地面は砂と土と雑草でボールマーカーを拾う時は土や砂が指と爪の間に入り込み、不快感は大である。また、降雨時や降雨後は水溜りや濡れた芝や草と汚泥で手や指が大変汚れて不衛生な状態になっている。
【０００４】
ボールマーカーの保持においてポケット保持はハンカチ等の他の物と混在して取り出しに手間がかかっている。
【０００５】
ボールマーカーの保持において左靴上部に保持具をつけて保持することは、左靴上部が右手の逆手となり不都合で、他方右靴上部はボールの保持で狭く、左右共に靴上部の保持は扱いにくい。
【０００６】
ボールマーカーの保持において、帽子の庇に保持具をつけるのは、目の真上になり、感を頼りにするため、ズレたりしてボールマーカーの落下紛失の原因になる。
【先行技術文献】
【特許文献】
【０００７】
【特許文献１】特表２０１５−５１６８５７号公報
【考案の概要】
【考案が解決しようとする課題】
【０００８】
本考案は前記のような従来の欠点に鑑み、ボールマーカーの収拾時に磁石を利用して、より早く確実に行い競技のスピードアップと併せて衛生的な収拾を特徴とするボールマーカー収拾具の提供を目的としている。
【課題を解決するための手段】
【０００９】
本考案は以下のとおりである。
１．ボールマーカーを収拾するためのゴルフグローブからなるボールマーカー収拾具であって、磁石又は強磁性材料を前記ゴルフグローブの指部に固着していることを特徴とするボールマーカー収拾具。
２．ボールマーカーを収拾するためのボールマーカー収拾具であって、磁石又は強磁性材料を前記指輪の外周面に固着していることを特徴とするボールマーカー収拾具。
３．前記指輪の材料は、金属、プラスチック、合成繊維、布帛、皮革又はゴムからなる２．記載のボールマーカー収拾具。
【考案の効果】
【００１０】
本考案にあっては次のような効果が得られる。
１．本考案のボールマーカー収拾具によれば、ボールマーカー着脱の迅速性と確実性に併せて衛生的収拾が可能となる。
２．また、一方で寒暖の厳しい時で、冬季にはグローブ収拾具を使い夏季のグローブ内が蒸れる時は指輪収拾具を使うなどシーズン毎の使い分けが可能となる。
【図面の簡単な説明】
【００１１】
【図１】本考案を具体化した形態で、地面にあるボールマーカーを、ゴルフグローブの指部に固着又は内蔵した磁石で収拾するゴルフグローブ収拾具の斜視図。
【図２】図１で示したボールマーカー収拾具によりボールマーカーを吸着収拾する直前の斜視図。
【図３】図１で示したボールマーカー収拾具でボールマーカーを吸着収拾した瞬間の斜視図。
【図４】図３で収拾したボールマーカーを左手ゴルフグローブの保持用磁石部へ移行せんとする直前の斜視図。
【図５】請求項３で記述した比較的軟質材料からなる指輪の外周面に磁石を固着しゴルフグローブ又は素手の指に嵌めこんでボールマーカーを吸着収拾するボールマーカー収拾具の斜視図。
【図６】図５で示した指輪状ボールマーカー収拾具をゴルフグローブの指部に嵌めこんだ状態のボールマーカー収拾具の斜視図。
【図７】請求項３に記載した比較的軟質材料からなる指輪の外周面に磁石を固着してボールマーカーを収拾するボールマーカー収拾具の斜視図。
【図８】図７に示した指輪状ボールマーカー収拾具をゴルフグローブ又は素手の指部に嵌めこんでボールマーカーを収拾するためのボールマーカー収拾具の斜視図。
【図９】図４で示した左手ゴルフグローブの指部下に固着又は内蔵した磁石へ、右手ゴルフグローブで収拾したボールマーカーを移行して保持するためのゴルフグローブの斜視図。
【図１０】ボールマーカー収拾具の使用状態を示した参考図。
【考案を実施するための形態】
【００１２】
以下、本考案の実施の形態を図に基づいて説明する。
【実施例１】
【００１３】
実施例１に係るボールマーカー収拾具１は本考案を具体化している。
ボールマーカー収拾具１は、図１、図２に示すように磁石1Aをゴルフグローブ20の指部に固着している。
図３は、図２で示した地面のボールマーカー10をボールマーカー収拾具１で吸着収拾した瞬間の状態を示している。
図4は、ボールマーカー収拾具１で収拾したボールマーカー10を素早く確実に保持でできる箇所へ瞬時に移行させるためにその直前の位置であって、しかも最も移行し易いゴルフクラブ50を持つ左手ゴルフグローブ30（図９参照）の指部下に固着した磁石1Bに移行して保持せんとする直前のボールマーカー収拾具１とボールマーカー保持部4を示している。
【実施例２】
【００１４】
実施例２に係るボールマーカー収拾具２も本考案を具体化している。
図５に示すように金属などの硬質材料からなる指輪の外周面に収拾用の磁石2Aとこれを固定する留め具2Bを共に固着している。又、ボールマーカー収拾具２はゴルフグローブ20の指部か素手の指部のどちらにも嵌めこんで使用できる（図６参照）。
【実施例３】
【００１５】
図７に示すボールマーカー収拾具３は比較的軟質性材料からなるベルト状の指輪３の外周面に磁石3Aを固着する留め具3Bで固着したボールマーカー収拾具３（図８参照）を形成している。又、ベルト自体の固定は面ファスナー接着面4Aと4Bで固着する。
【００１６】
（使用例）
通常、ボールマーカーは、打球した後ボールに近づいてマークせんとして紛失に気付くことが多いので、図10に示した左手ゴルフグローブ指部直下に保持すれば打球時の目線上70でボール40とゴルフクラブの握り手80及び90と保持したボールマーカー10の３つのものを同時に視認可能な位置に特定しているので紛失の有無を事前に認識できるよう配慮している。
【符号の説明】
【００１７】
１、２、３        ボールマーカー収拾具
1A、2A、3A、1B    磁石
2B、3B            留め具
2C、2D            指輪調整部
4A、4B            面ファスナー接着面
10                ボールマーカー
20                右手ゴルフグローブ
30                左手ゴルフグローブ
40                ゴルフボール
50                ゴルフクラブ
60                ゴルフクラブフェイス
70                ボールマーカー存在確認時の目線
80、90            握り手
【図１】
0003211652.tif 000003
【図２】
0003211652.tif 000004
【図３】
0003211652.tif 000005
【図４】
0003211652.tif 000006
【図５】
0003211652.tif 000007
【図６】
0003211652.tif 000008
【図７】
0003211652.tif 000009
【図８】
0003211652.tif 000010
【図９】
0003211652.tif 000011
【図１０】
0003211652.tif 000012